(57)【要約】【課題】複数方向に同時に異なる操作画面を表示することが可能な表示手段上にタッチパネルを設けた場合に、正確に操作者の操作入力に応じた動作を行うことが可能な操作表示装置を提供する。【解決手段】複数方向に同時に異なる操作画面を表示することが可能な表示手段と、前記表示手段上に設けられたタッチパネルと、前記複数方向の内、タッチパネルを操作中の操作者が存在する操作方向を検出する操作方向検出手段と、タッチパネルにおける押下箇所の座標を検出する座標検出手段と、前記操作画面毎に、操作画面に表示される操作アイコンとタッチパネル上の認識領域との対応関係を設定する一方、操作方向に表示される操作画面に関する前記操作アイコンと認識領域との対応関係を基に、押下箇所の座標が含まれる認識領域に対応する操作アイコンが押下されたと判定する制御手段とを備える。【選択図】図１
2009140177.tif 000002
【特許請求の範囲】
【請求項１】
複数方向に同時に異なる操作画面を表示することが可能な表示手段と、
前記表示手段上に設けられたタッチパネルと、
前記複数方向の内、前記タッチパネルを操作中の操作者が存在する操作方向を検出する操作方向検出手段と、
前記タッチパネルにおける押下箇所の座標を検出する座標検出手段と、  
前記操作画面毎に、操作画面に表示される操作アイコンとタッチパネル上の認識領域との対応関係を設定する一方、前記操作方向に表示される操作画面に関する前記操作アイコンと認識領域との対応関係を基に、前記押下箇所の座標が含まれる認識領域に対応する操作アイコンが押下されたと判定する制御手段と、
を備えることを特徴とする操作表示装置。
【請求項２】
前記操作方向検出手段は、前記タッチパネル表面において前記複数方向のそれぞれに対応する外縁に設けられた遮光センサであることを特徴とする請求項１記載の操作表示装置。
【発明の詳細な説明】
【技術分野】
【０００１】
本発明は、操作表示装置に関し、特に複数方向に同時に異なる映像を表示することが可能な表示手段と、当該表示手段上に設けられたタッチパネルとを備える操作表示装置に関する。
【背景技術】
【０００２】
近年、液晶パネルの表示面に「視差バリア」と呼ばれるフィルタを設け、バックライトからの光の向きを左右方向に分離させることで、右方向から見た場合と左方向から見た場合とで異なる映像を表示する、いわゆるデュアルビュー液晶等、複数方向に同時に異なる映像を表示することが可能な表示装置が注目されている。例えば、下記特許文献１には、表示装置の表示面に、複数のシリンドリカルレンズによって構成されたレンティキュラーレンズを設けることにより、２方向から見た場合に同時に異なる映像を表示することが可能な多重映像表示装置が開示されている。
【特許文献１】特開平６−２３６１５２号公報
【発明の開示】
【発明が解決しようとする課題】
【０００３】
従来では、例えば上述したデュアルビュー機能を有する液晶パネル上にタッチパネルを設け、２方向に同時に異なる操作画面を表示させた場合、２人の操作者はそれぞれ異なる操作を行うことになるが、装置側はどちらの操作者が操作しているのかを把握することができないため、２つの操作画面のどちらに対応した動作を行えば良いか判断できず、動作不良に陥る可能性があった。
【０００４】
本発明は、上述した事情に鑑みてなされたものであり、複数方向に同時に異なる操作画面を表示することが可能な表示手段上にタッチパネルを設けた場合に、正確に操作者の操作入力に応じた動作を行うことが可能な操作表示装置を提供することを目的とする。
【課題を解決するための手段】
【０００５】
上記目的を達成するために、本発明は、操作表示装置に係る第１の解決手段として、複数方向に同時に異なる操作画面を表示することが可能な表示手段と、前記表示手段上に設けられたタッチパネルと、前記複数方向の内、前記タッチパネルを操作中の操作者が存在する操作方向を検出する操作方向検出手段と、前記タッチパネルにおける押下箇所の座標を検出する座標検出手段と、前記操作画面毎に、操作画面に表示される操作アイコンとタッチパネル上の認識領域との対応関係を設定する一方、前記操作方向に表示される操作画面に関する前記操作アイコンと認識領域との対応関係を基に、前記押下箇所の座標が含まれる認識領域に対応する操作アイコンが押下されたと判定する制御手段と、を備えることを特徴とする。
【０００６】
また、操作表示装置に係る第２の解決手段として、上記第１の解決手段において、前記操作方向検出手段は、前記タッチパネル表面において前記複数方向のそれぞれに対応する外縁に設けられた遮光センサであることを特徴とする。
【発明の効果】
【０００７】
本発明に係る操作表示装置によれば、複数方向に同時に異なる操作画面を表示することが可能な表示手段上にタッチパネルを設けた構成において、前記タッチパネルを操作中の操作者が存在する操作方向に表示される操作画面に関する前記操作アイコンと認識領域との対応関係に基づいて、前記押下箇所の座標が含まれる認識領域に対応する操作アイコンが押下されたと判定するので、正確に操作者の操作入力に応じた動作を行うことが可能である。
【発明を実施するための最良の形態】
【０００８】
以下、図面を参照して、本発明の一実施形態について説明する。
図１は、本実施形態に係る操作表示装置１００の構成概略図である。図１に示すように、本実施形態に係る操作表示装置１００は、液晶ディスプレイ１０、タッチパネル２０、第１の遮光センサ２０Ａ、第２の遮光センサ２０Ｂ、座標検出部３０、ＣＰＵ(Central Processing Unit)４０、ＬＣＤコントローラ５０、ＲＯＭ(Read Only Memory)６０及びＲＡＭ(Random Access Memory)７０から構成されている。
【０００９】
液晶ディスプレイ（表示手段）１０は、液晶パネルとバックライトから構成されており、ＬＣＤコントローラ５０から供給される走査信号、データ信号及びバックライト制御信号に基づいて、図示の２方向（方向Ａ及び方向Ｂ）に同時に異なる操作画面を表示する。このように、２方向に同時に異なる操作画面を表示することが可能な液晶ディスプレイ１０の構成としては、公知の技術を採用することができ、液晶パネルの表示面に「視差バリア」と呼ばれるフィルタを設け、バックライトからの光の向きを２方向に分離させることで、方向Ａから見た場合と方向Ｂから見た場合とで異なる操作画面を表示するようにしても良いし、特許文献１（特開平６−２３６１５２号公報）に開示されているレンズ技術を用いても良い。
【００１０】
なお、図１に示すように、本実施形態では、液晶ディスプレイ１０（タッチパネル２０）の短辺方向をＸ軸方向、長辺方向をＹ軸方向と設定する。つまり、方向ＡはＹ軸方向の一方の側の斜め上方からタッチパネル２０を眺める方向に設定されており、方向ＢはＹ軸方向の他方の側の斜め上方からタッチパネル２０を眺める方向に設定されている。また、方向Ａからタッチパネル２０を眺める操作者に符号２００Ａを付し、方向Ｂからタッチパネル２０を眺める操作者に符号２００Ｂを付す。
【００１１】
タッチパネル２０は、液晶ディスプレイ１０上に設けられていると共に、押下箇所の座標の検出方式としてアナログ抵抗膜方式を採用したタッチパネルであり、押下箇所のＸ座標、Ｙ座標を示すアナログ電圧信号を座標検出部３０に出力する。なお、このアナログ抵抗膜方式については既に公知の技術であるので、詳細な説明を省略する。第１の遮光センサ２０Ａは、例えば赤外線センサであり、タッチパネル２０の表面において方向Ａに対応する外縁に設けられており、赤外線の遮光を検出した場合に遮光検出信号をＣＰＵ４０に出力する。第２の遮光センサ２０Ｂは、例えば赤外線センサであり、タッチパネル２０の表面において方向Ｂに対応する外縁に設けられており、赤外線の遮光を検出した場合に遮光検出信号をＣＰＵ４０に出力する。なお、これら第１の遮光センサ２０Ａ及び第２の遮光センサ２０Ｂは、本発明における操作方向検出手段に相当する。
【００１２】
座標検出部（座標検出手段）３０は、タッチパネル２０から入力されるＸ座標、Ｙ座標を示すアナログ電圧信号をデジタル変換して、Ｘ座標を示す電圧値ＶxとＹ座標を示す電圧値Ｖyとを取得し、これら電圧値Ｖx及びＶyを基に押下箇所のＸ座標及びＹ座標を検出し、これらＸＹ座標を示す座標検出信号をＣＰＵ４０に出力する。
【００１３】
ＣＰＵ（制御手段）４０は、ＲＯＭ６０に記憶されている制御プログラムを基に、２方向（方向Ａ、Ｂ）に異なる操作画面を表示するために必要な画像データや制御信号を生成してＬＣＤコントローラ５０に出力する。また、このＣＰＵ４０は、２つの操作画面毎に、操作画面に表示される操作アイコンとタッチパネル２０上の認識領域との対応関係を設定する一方、第１の遮光センサ２０Ａ及び第２の遮光センサ２０Ｂから入力される遮光検出信号と、座標検出部３０から入力される、タッチパネル２０上の押下箇所のＸＹ座標を示す座標検出信号とに基づいて、どちらの操作画面のどの操作アイコンが押下されたかを判定し、その操作アイコンに応じた動作を実行する。なお、このようなＣＰＵ４０の動作の詳細は後述する。
【００１４】
ＬＣＤコントローラ５０は、上記ＣＰＵ４０から入力される画像データや制御信号を基に液晶ディスプレイ１０を動作させるための走査信号、データ信号及びバックライト制御信号を生成して液晶ディスプレイ１０に出力する。ＲＯＭ６０は、ＣＰＵ４０で使用され制御プログラムやその他のデータを記憶する不揮発性メモリである。ＲＡＭ７０は、ＣＰＵ４０が制御プログラムを実行して各種動作を行う際に、データの一時保存先に用いられるワーキングメモリである。
【００１５】
次に、上記のように構成された本実施形態に係る操作表示装置１００の動作、特にＣＰＵ４０の動作について図２のフローチャートを参照して説明する。  
まず、ＣＰＵ４０は、２方向（方向Ａ、Ｂ）に異なる操作画面を表示するために必要な画像データや制御信号を生成してＬＣＤコントローラ５０に出力する（ステップＳ１）。これにより、図３に示すように、方向Ａから操作者２００Ａが見ることができる操作画面３００Ａと、方向Ｂから操作者２００Ｂが見ることができる操作画面３００Ｂが液晶ディスプレイ１０に表示されるものとする。図３に示すように、操作画面３００Ａには、操作アイコンＡ１、Ａ２、Ａ３、Ａ４、Ａ５が表示され、操作画面３００Ｂには、操作アイコンＢ１、Ｂ２、Ｂ３が表示されている。
【００１６】
続いて、ＣＰＵ４０は、各操作画面３００Ａ、３００Ｂのそれぞれについて、操作画面に表示される操作アイコンとタッチパネル２０上の認識領域との対応関係を設定する（ステップＳ２）。ここで、認識領域とは、操作画面上に表示される操作アイコンに対して操作（つまりタッチパネル２０に対する押下）が行われた場合に、当該操作の対象となった操作アイコンをＣＰＵ４０が認識するために必要な情報であり、一般的に操作画面上における操作アイコンの表示領域と同一のＸＹ座標になるように設定すれば良い。つまり、操作画面３００Ａの場合、例えば操作アイコンＡ１に対応する認識領域は、操作画面３００Ａ上における操作アイコンＡ１の表示領域と同一のＸＹ座標になるように設定する。図４は、上記のように設定した操作画面３００Ａ及び３００Ｂに関する操作アイコンと認識領域との対応関係を表した一例である。ＣＰＵ４０は、図４に示す操作アイコンと認識領域との対応関係を表すテーブルデータをＲＡＭ７０に記憶する。なお、認識領域にマージンを持たせるために操作アイコンの表示領域より若干大きめに認識領域を設定しても良い。
【００１７】
そして、ＣＰＵ４０は、座標検出部３０から座標検出信号が入力されたか、つまり、タッチパネル２０が押下されたか否かを判定し（ステップＳ３）、座標検出信号の入力がない場合（「No」）、ステップＳ３の処理を繰り返すことにより、タッチパネル２０の押下を監視する。一方、上記ステップＳ３において、座標検出部３０から座標検出信号が入力された場合（「Yes」）、つまりタッチパネル２０が押下された場合、ＣＰＵ４０は、座標検出信号が示すタッチパネル２０における押下箇所のＸＹ座標をＲＡＭ７０に記憶する（ステップＳ４）。
【００１８】
続いてＣＰＵ４０は、タッチパネル２０を操作（押下）した操作者が存在する操作方向が方向Ａか方向Ｂかを判定する（ステップＳ５）。例えば、方向Ａ側に存在する操作者２００Ａがタッチパネル２０を操作した場合、第１の遮光センサ２０Ａの赤外線が遮光されるため、第１の遮光センサ２０Ａから遮光検出信号がＣＰＵ４０に出力され、また、方向Ｂ側に存在する操作者２００Ｂがタッチパネル２０を操作した場合、第２の遮光センサ２０Ｂの赤外線が遮光されるため、第２の遮光センサ２０Ｂから遮光検出信号がＣＰＵ４０に出力されることになる。つまり、ＣＰＵ４０は、上記ステップＳ５において、第１の遮光センサ２０Ａと第２の遮光センサ２０Ｂとのどちらから遮光検出信号が出力されたかを監視することで、タッチパネル２０を操作（押下）した操作者が存在する操作方向が方向Ａか方向Ｂかを判定する。
【００１９】
上記ステップＳ５において、操作方向が方向Ａと判定された場合、つまり方向Ａ側に存在する操作者２００Ａがタッチパネル２０を操作して、第１の遮光センサ２０Ａから遮光検出信号がＣＰＵ４０に出力された場合、ＣＰＵ４０は、ＲＡＭ７０から方向Ａに対応する操作画面３００Ａに関する操作アイコンと認識領域との対応関係を表すテーブルデータと、押下箇所のＸＹ座標とを読み出し、押下箇所のＸＹ座標が含まれる認識領域に対応する操作アイコン（Ａ１、Ａ２、Ａ３、Ａ４、Ａ５のいずれか）が押下されたと判定する（ステップＳ６）。そして、ＣＰＵ４０は、その押下されたと判定した操作アイコンに応じた動作を実行する（ステップＳ７）。
【００２０】
一方、ステップＳ５において、操作方向が方向Ｂと判定された場合、つまり方向Ｂ側に存在する操作者２００Ｂがタッチパネル２０を操作して、第２の遮光センサ２０Ｂから遮光検出信号がＣＰＵ４０に出力された場合、ＣＰＵ４０は、ＲＡＭ７０から方向Ｂに対応する操作画面３００Ｂに関する操作アイコンと認識領域との対応関係を表すテーブルデータと、押下箇所のＸＹ座標とを読み出し、押下箇所のＸＹ座標が含まれる認識領域に対応する操作アイコン（Ｂ１、Ｂ２、Ｂ３のいずれか）が押下されたと判定する（ステップＳ８）。そして、ＣＰＵ４０は、その押下されたと判定した操作アイコンに応じた動作を実行する（ステップＳ９）。
【００２１】
以上のように、本実施形態に係る操作表示装置１００によれば、２方向に同時に異なる操作画面３００Ａ、３００Ｂを表示することが可能な液晶ディスプレイ１０上にタッチパネル２０を設けた構成において、タッチパネル２０を操作中の操作者が存在する操作方向に表示される操作画面に関する操作アイコンと認識領域との対応関係に基づいて、タッチパネル２０における押下箇所のＸＹ座標が含まれる認識領域に対応する操作アイコンが押下されたと判定するので、正確に操作者の操作入力に応じた動作を行うことが可能である。
【００２２】
なお、本発明は上記実施形態に限定されず、以下のような変形例が考えられる。
（１）上記実施形態では、操作方向検出手段として第１の遮光センサ２０Ａ及び第２の遮光センサ２０Ｂを用いた場合を例示して説明したが、例えば、カメラ等の撮影装置によってタッチパネル２０と操作者２００Ａ及び２００Ｂとを含むように撮影し、この撮影により得られる画像を画像処理することで操作者２００Ａ（方向Ａ）から操作されたのか、操作者２００Ｂ（方向Ｂ）から操作されたのかを検出するようにしても良い。また、方向Ａ用の有線のペンと、方向Ｂ用の有線のペンとを設け、どちらのペンによってタッチパネル２０が押下されたかを判定することで、操作者２００Ａ（方向Ａ）から操作されたのか、操作者２００Ｂ（方向Ｂ）から操作されたのかを検出するようにしても良い。
【００２３】
（２）上記実施形態では、２方向に同時に異なる操作画面を表示する場合を例示して説明したが、本発明は２以上の複数方向に異なる操作画面を表示する場合にも適用することができる。また、複数方向に異なる操作画面を表示する表示手段として液晶ディスプレイ１０を例示したが、この他、複数方向に異なる操作画面を表示することが可能であれば有機ＥＬディスプレイやプラズマディスプレイ等を用いても良い。
【００２４】
（３）上記実施形態では、操作表示装置１００が単体で動作する場合を例示して説明したが、本実施形態に係る操作表示装置１００は、ファクシミリ装置やコピー機等のＯＡ機器、ＰＤＡ等の携帯端末やカーナビゲーション端末、その他の情報処理装置などの操作表示部として使用することができる。
【図面の簡単な説明】
【００２５】
【図１】本発明の一実施形態に係る操作表示装置１００の機能ブロック図である。
【図２】本発明の一実施形態に係る操作表示装置１００の動作フローチャートである。
【図３】本発明の一実施形態に係る操作表示装置１００の動作に関する第１説明図である。
【図４】本発明の一実施形態に係る操作表示装置１００の動作に関する第２説明図である。
【符号の説明】
【００２６】
１００…操作表示装置、１０…液晶ディスプレイ、２０…タッチパネル、２０Ａ…第１の遮光センサ、２０Ｂ…第２の遮光センサ、３０…座標検出部、４０…ＣＰＵ(Central Processing Unit)、５０…ＬＣＤコントローラ、６０…ＲＯＭ(Read Only Memory)、７０…ＲＡＭ(Random Access Memory)、２００Ａ、２００Ｂ…操作者、３００Ａ、３００Ｂ…操作画面
【図１】
2009140177.tif 000003
【図２】
2009140177.tif 000004
【図３】
2009140177.tif 000005
【図４】
2009140177.tif 000006